(57)【特許請求の範囲】
【請求項１】
上半身を載せる前ベッド半体（１）の前フレーム（３）の両端と、下半身を載せる後ベッド半体（２）の後フレーム（５）の両端とが差し込まれ該前ベッド半体（１）と後ベッド半体（２）とを、側面視倒立Ｖ字型に折畳み自在として枢結する左右一対の枢結部材（７），（７）を具え、枢結部材（７），（７）を互いに中心軸（２５）によって連結するとともに、ベッド展開時には、床面に当接して、ベッドにかかる荷重を支える中心脚（２６）を、前記中心軸（２５）に、かつ前記前フレーム（３）及び後フレーム（５）の側縁よりも内側に配設したことを特徴とする折畳みベッド。
【請求項２】
前記前フレーム（３）及び後フレーム（５）の側縁から中心脚（２６）の左右各端（２６ａ），（２６ａ）までの距離をＬとするとき、３０ｍｍ≦Ｌ≦１００ｍｍに設定されたことを特徴とする請求項１記載の折畳みベッド。
【請求項３】
前記枢結部材（７）は、上壁部（１９）を有する安全カバー（８）により覆われることを特徴とする請求項１又は２記載の折畳みベッド。
【請求項４】
宮板（２７）の内面が、平面視で前マット（４）の前端縁より前方側に位置するように宮板（２７）を設けたことを特徴とする請求項１〜３のいずれかに記載の折畳み式ベッド。
【請求項５】
宮板（２７）が、前ベッド半体（１）の前端縁に起立状に突設され、かつ、後ベッド半体（２）の後端縁に設けられた固定脚（３７）の左右一対の側柱部３８が、折畳み状態で、前ベッド半体１を支持する左右一対の前支脚３１と上記宮板２７の左右側端縁との間に、夫々差込まれるように構成されたことを特徴とする請求項１〜３のいずれかに記載の折畳み式ベッド。
【請求項６】
前支脚（３１）を前ベッド半体（１）を支持するように設け、該前支脚（３１）の柱部（３２）に折畳み状態で前ベッド半体（１）を鉛直状に保つ揺動規制部材（４６）が設けられたことを特徴とする請求項１〜５のいずれかに記載の折畳み式ベッド。
【発明の詳細な説明】
【０００１】
【発明の属する技術分野】
本発明は、折畳み式ベッドに関する。
【０００２】
【従来の技術】
従来、不使用時にはスペースをとらないために、折畳み式ベッドとして上半身を載せる前ベッド半体と、下半身を載せる後ベッド半体とを、側面視倒立Ｖ字型に折畳み自在として枢結していた。
【０００３】
【発明が解決しようとする課題】
しかしながら、従来の折畳み式ベッドでは、折畳むときに、前ベッド半体、後ベッド半体の枢結部分には、ベッド展開時に、床面に当接して、ベッドにかかる荷重を支える中心脚が設けられているが、ベッドを折畳むときに、中心脚と前フレームとの間、又は、中心脚と後フレームとの間で、指等を挟んでしまう虞れがあった。そこで、本発明は、中心脚を前フレーム及び後フレームの側縁よりも内側に配設することを基本として、か かる虞れを低減しうる折畳み式ベッドを提供することを目的とする。さらにベッド折畳み状態からベッドを展開するときに、枢結部付近で指を挟む虞れを減じうる折畳みベッドも提供できる。
【０００４】
【課題を解決するための手段】
上述の目的を達成するために、本発明に係る折畳み式ベッドは、上半身を載せる前ベッド半体（１）の前フレーム（３）の両端と、下半身を載せる後ベッド半体（２）の後フレーム（５）の両端とが差し込まれ該前ベッド半体（１）と後ベッド半体（２）とを、側面視倒立Ｖ字型に折畳み自在として枢結する左右一対の枢結部（７），（７）を具え、枢結部材（７），（７）を互いに中心軸（２５）によって連結するとともに、ベッド展開時には、床面に当接して、ベッドにかかる荷重を支える中心脚（２６）を、前記中心軸（２５）に、かつ前記前フレーム（３）及び後フレーム（５）の側縁よりも内側に配設したことを特徴とし、さらに前記前フレーム（３）及び後フレーム（５）の側縁から中心脚（２６）の左右各端（２６ａ），（２６ａ）までの距離をＬとするとき、３０ｍｍ≦Ｌ≦１００ｍｍに設定することも、前記枢結部材（７）が、上壁部（１９）を有する安全カバー（８）により覆うこともできる。
【０００５】
さらに宮板（２７）について、宮板（２７）の内面が、平面視で前マット（４）の前端縁より前方側に位置するように宮板（２７）を設けたこと、及び宮板（２７）が、前ベッド半体（１）の前端縁に起立状に突設され、かつ、後ベッド半体（２）の後端縁に設けられた固定脚（３７）の左右一対の側柱部３８が、折畳み状態で、前ベッド半体１を支持する左右一対の前支脚３１と上記宮板２７の左右側端縁との間に、夫々差込まれるように構成されたこと、また、上半身を載せる前ベッド半体と、下半身を載せる後ベッド半体とを、側面視倒立Ｖ字型に折畳み自在として枢結した折畳み式ベッドに於て、前支脚を前ベッド半体を支持するように設け、該前支脚の柱部に折畳み状態で前ベッド半体を鉛直状に保つ揺動規制部材が設けることができる。
【０００６】
また、上半身を載せる前ベッド半体と、下半身を載せる後ベッド半体とを、側面視倒立Ｖ字型に折畳み自在として枢結した折畳み式ベッドに於て、前支脚を前ベッド半体を支持するように設け、該前支脚の柱部に折畳み状態で前ベッド半体を鉛直状に保つ揺動規制部材が設けられたものである。
【０００７】
【発明の実施の形態】
以下、実施の形態を示す図面に基づき本発明を詳説する。
【０００８】
図１は、本発明に係る折畳み式ベッドの側面図を示し、上半身を載せる前ベッド半体１と、下半身を載せる後ベッド半体２とが、側面視倒立Ｖ字型に折畳み自在として枢結されている。前ベッド半体１は、平面視コの字型の前フレーム３と、この前フレーム３に載置状に固着される板と綿と布製等の前マット４とから成り、後ベッド半体２は、平面視コの字型の後フレーム５と、この後フレーム５に載置状に固着される板と綿と布製等の後マット６とから成る。上記前フレーム３の両端は、図２に示すような枢結部材７，７に前方から差込まれ、後フレーム５の両端は、枢結部材７，７に後方から差し込まれる。さらにその外側を図３に示すような安全カバー８，８に覆われ、それらにボルトまたはピン等の軸部材９，９を挿通して固着されている。
【０００９】
具体的には、図２に示す枢結部材７は、前孔１０及び後孔１１を有する外側壁部１２と、上記外側壁部１２に平行に相対し、前孔１３及び後孔１４を有する内側壁部１５と、それら側壁部の下面中央部に架橋状に連設された底壁１６とから成る。また、図３に示す安全カバー８は、外側壁部１７と、上記外側壁部１７に平行に相対する内側壁部１８と、それら側壁部の上部を架橋状に連設された断面円弧状の上壁部１９と、から成る。安全カバー８の外側壁部１７は、枢結部材７の前孔１０に対応する前孔２０と、枢結部材７の後孔１１に対応する後孔２１を有する。また、安全カバー８の内側壁部１８は、枢結部材７の前孔１３に対応する前孔２２と、枢結部材７の後孔１４に対応する後孔２３を有し、さらに、下側中央部に矩形状の切欠き部２４を有する。
【００１０】
前フレーム３及び後フレーム５は、両端部に枢結用の孔を有する。そして、軸部材９を、外側から順に、前孔２０、前孔１０、前フレーム３の枢結用の孔、前孔１３、前孔２２に挿通して、前フレーム３と枢結部材７と安全カバー８は枢結されている。また、軸部材９を、外側から順に、後孔２１、後孔１１、後フレーム５の枢結用の孔、後孔１４、後孔２３に挿通して、後フレーム５と枢結部材７と安全カバー８は枢結されている。
【００１１】
図１１は、比較例を示し、前フレーム５１と前マット５２から成る前ベッド半体５３と、後フレーム５４と後マット５５から成る後ベッド半体５６とは、枢結部材５７にて枢結されている。この場合、ベッド折畳み状態からベッドを展開するときに、枢結部付近で指を挟む虞れがある。しかし、本発明の折畳み式ベッドでは、上述のように枢結部位が安全カバー８にて被覆されているので、このように枢結部付近で指を挟む虞れがなく、安全である。
【００１２】
図４，図５及び図６に於て、左右一対の枢結部材７，７は互いに中心軸２５によって連結されている。つまり、中心軸２５の両端に、枢結部材７，７が溶接等により固着されている。正面視Ｕ字型の中心脚２６は、両端２６ａ，２６ａを上記中心軸２５に溶接等により固着されている。この中心脚２６は、ベッド展開時には、床面に当接して、ベッドにかかる荷重を支える。
【００１３】
中心脚２６の両端２６ａ，２６ａは、ベッドの側縁より内側に配設されている。例えば、ベッド側縁から中心脚２６の左右各端２６ａまでの距離をＬとすると、３０ｍｍ≦Ｌ≦１００  ｍｍに設定されている。なおベッドの側縁とは、前フレーム３及び後フレーム５の側縁を指す。図６中の２点鎖線で示すように、Ｌが３０ｍｍより小さいと、ベッドを折畳むときに、中心脚２６と前フレーム３との間、又は、中心脚２６と後フレーム５との間で、指等を挟んでしまう虞れがあり、Ｌが１００  ｍｍより大きいと、ベッド左右の安定支持力が弱くなってしまう。
【００１４】
次に、図１、図４及び図５に示すように、前ベッド半体１の前端縁には、宮板２７が起立状に突設される。具体的には、前フレーム３の前端縁に、スペーサ２８を介して鉛直上方へ延びる弯曲門型の取付けパイプ２９が付設され、取付けパイプ２９の上方内面側に宮板２７が取付けられる。宮板２７の内面は、平面視で前マット４の前端縁より前方側に位置するように設けられている。すなわち、図１に示すように、スペーサ２８が、宮板２７の内面が平面視で前マット４の前端縁より前方側に位置するように調整する役目をなしている。
【００１５】
前マット４は、前マット４のさらに前約半分を多段階に起立状に折曲げ可能とするラチェット機構３０を、内部に有する（図１参照）。仮に、図１２に示すように、宮板５８の内面が前マット５９の前端縁よりも後方にあると、ラチェット機構６０を折曲げ、前マット５９の前約半分を起伏させようとしたとき、前マット５９の前端縁が宮板５８にぶつかり、任意の起伏状態にまで、折曲げることができない。しかし、本発明では、図７に示すように、ラチェット機構３０を折曲げて、前マット４の前約半分を、任意の起伏状態にまで（宮板２７にぶつかることなく）折曲げることが可能である。
【００１６】
図１に於て、前フレーム３の前端寄り側縁には、前ベッド半体１を支持する左右一対の前支脚３１，３１が枢結される。この前支脚３１は、柱部３２と、柱部３２の下方に付設された前後方向に延びる水平部３３と、水平部３３の前端下側及び後端下側に夫々設けられたキャスター３４，３４から成る。左右一対の柱部３２，３２は、その高さ方向中間部で、左右方向に渡された横桁部材３５にて互いに連結されている。
【００１７】
図１３の比較例に示す如く、宮板６３が、前支脚６１の柱部６２上端部から一体状に設けられていると、ラチェット機構６４を曲げた状態では、ベッドを折畳むことができない。つまり、ラチェット機構６４を曲げた状態でベッドを折畳もうとすると、途中の段階で、前マット６５と宮板６３が接触してしまい、それ以上、ベッドを折畳むことができなくなる。しかし、本発明では、図８に示す如く、宮板２７は前フレーム３と一体状に設けられているので、ラチェット機構３０を曲げた状態でも、ベッドを完全に折畳むことができる。
【００１８】
また、図９及び図１に於て、前支脚３１の左右一対の柱部３２，  ３２を連結する横桁部材３５は、ベッド折畳み状態に於て、前ベッド半体１を鉛直状に保つはたらきをするための（鉛直保持用）揺動規制部材４６の役目を兼ね備えている。図１４の比較例のように、揺動規制部材がないと、ベッドを折畳むときに、前ベッド半体６６の前端部６７が、後ベッド半体６８側へ傾き過ぎるので、前支脚６９の位置が鉛直状に定まらず、ぐらつく。しかし、本発明では、図９に示すように、ベッドを折畳むときに、前ベッド半体１が、ちょうど鉛直状態の位置で、前フレーム３と揺動規制部材４６が当接し、停止するので、安定した鉛直姿勢を保つ。
【００１９】
また、図１と図４，図５に示すように、前支脚３１の柱部３２，  ３２の上部内面には、ピン状又は折曲片等の支脚揺動規制部材３６，  ３６が、突設されており、水平展開状態で、この部材３６は、前フレーム３の下面に近接（又は当接）する位置に配設され、前支脚３１が、図１に於て、ベッドの折畳み操作時・展開操作時に、時計廻りに不意に回転するのを防止する。
【００２０】
図１，図５に於て、後フレーム５の後端縁には、弯曲門型の固定脚３７が固着状に連結される。この固定脚３７は、両端に左右一対の側柱部３８，３８を有し、これら側柱部３８，３８の上端を架橋として水平部３９が形成される。水平部３９は、中央部にキャスター４０を有する。側柱部３８，３８は、下端にキャスター４１，４１を有する。固定脚３７の左右一対の側柱部３８，３８は、折畳み状態で、前支脚３１，３１と宮板２７の左右側端縁との間に、夫々差し込まれるように構成されている。
【００２１】
すなわち、図４と図５と図１０に示すように、後マット６の左右端から、キャスター４１，４１の外端までの幅方向の距離を夫々Ｗ１  とし、キャスター４１，４１の内端までの幅方向の距離を夫々Ｗ２  とし、前マット４の左右端から宮板２７の左右側端縁までの幅方向の距離を夫々Ｗ０  とすると、０＜Ｗ１  かつ、Ｗ２  ＜Ｗ０  に設定されている。
【００２２】
なお、図１に示すように、後フレーム５の前寄り（つまり、折畳み状態における上方側）には、図１に示すように、倒立略Ｕ字型の把手４２，４２が、上方突設状に左右一対に固着されている。把手４２は、中央部をスポンジ等の被覆材４３により被覆されている。ベッドを折畳むとき、この把手４２を上方に持上げることにより、容易にベッドを折畳むことができる。
【００２３】
また、図１に示すように、中心脚２６の中央部と前フレーム３の前端側中央部との間、及び、中心脚２６の中央部と後フレーム５の後端側中央部との間には、ばね等の弾発部材４４，４４が設けられている。このばねは、ベッドを折畳むときにベッドが折畳まれる力を補助するので、小さな力でベッドを折畳むことができる。
【００２４】
なお、鉛直保持用揺動規制部材４６としては、別途、柱部３２の内面から、突出ピンや突出片を付設して、鉛直折畳み状態で、前フレーム３の裏面に、当接するように構成しても良い（図示省略）。
【００２５】
【発明の効果】
本発明は上述の如く、前ベッド半体と、後ベッド半体とを枢結するための中心軸に、中央脚の両端がベッド側縁より内側に配設されているため、折畳みに際しての指詰めの危険性を防止しうる。
【図面の簡単な説明】
【図１】本発明の実施の一形態を示す側面図である。
【図２】枢結部材を示す斜視図である。
【図３】安全カバーを示す斜視図である。
【図４】ベッド全体の正面図である。
【図５】背面図である。
【図６】要部拡大図である。
【図７】前マットの折曲げ状態を示す説明図である。
【図８】ベッドの折曲げ状態を示す説明図である。
【図９】ベッドの折畳み状態を示す側面図である。
【図１０】平面図である。
【図１１】比較例を示す説明図である。
【図１２】比較例を示す説明図である。
【図１３】比較例を示す説明図である。
【図１４】比較例を示す説明図である。
【符号の説明】
１  前ベッド半体
２  後ベッド半体
４  前マット
８  安全カバー
２６  中心脚
２６ａ  端
２７  宮板
３１  前支脚
３２  柱部
３７  固定脚
３８  側柱部
４６  揺動規制部材
Ｌ  距離
【図１】
0003600594.tif 000002
【図２】
0003600594.tif 000003
【図３】
0003600594.tif 000004
【図４】
0003600594.tif 000005
【図５】
0003600594.tif 000006
【図６】
0003600594.tif 000007
【図７】
0003600594.tif 000008
【図８】
0003600594.tif 000009
【図９】
0003600594.tif 000010
【図１０】
0003600594.tif 000011
【図１１】
0003600594.tif 000012
【図１２】
0003600594.tif 000013
【図１３】
0003600594.tif 000014
【図１４】
0003600594.tif 000015